(57)【要約】【課題】似たような映像から必要な箇所を容易に見付け出すことができるエレベータ録画映像表示装置を提供する。【解決手段】エレベータ録画映像表示装置は、映像データに時刻情報を付加して蓄積する映像蓄積手段と、乗りカゴの運行データおよび状況データに時刻情報を付加して蓄積するデータ蓄積手段と、を有する映像データ記録装置と、映像データ記録装置から受け取る映像データを記憶する映像記憶部と、映像データ記録装置から受け取る運行データおよび状況データを記憶するデータ記憶部と、映像データと運行データおよび状況データを同期して読み出すデータ同期読み出し部と、映像データを表示する映像表示部と、映像データの表示に同期して運行データおよび状況データを音声でアナウンスするデータ音声読み上げ部と、を有するカゴ内映像表示装置と、を備える。【選択図】図１
2011006206.tif 000002
【特許請求の範囲】
【請求項１】
エレベータの乗りカゴ内の監視領域を撮影して得られる映像データを蓄積し且つ必要な部分の映像を表示するエレベータ録画映像表示装置において、
上記映像データに時刻情報を付加して蓄積する映像蓄積手段と、
上記乗りカゴの運行データおよび状況データに時刻情報を付加して蓄積するデータ蓄積手段と、
を有する映像データ記録装置と、
上記映像データ記録装置から受け取るとともに上記時刻情報が付加された映像データを記憶する映像記憶部と、
上記映像データ記録装置から受け取るとともに上記時刻情報が付加された運行データおよび状況データを記憶するデータ記憶部と、
上記映像記憶部に記憶されている映像データと上記データ記憶部に記憶されている上記運行データおよび上記状況データを同期して読み出すデータ同期読み出し部と、
上記映像データを表示する映像表示部と、
上記映像データの表示に同期して上記運行データおよび上記状況データを音声でアナウンスするデータ音声読み上げ部と、
を有するカゴ内映像表示装置と、
を備えることを特徴とするエレベータ録画映像表示装置。
【発明の詳細な説明】
【技術分野】
【０００１】
この発明は、エレベータの防犯監視等に用いられるエレベータ録画映像表示装置に関するものである。
【背景技術】
【０００２】
従来のエレベータの映像監視装置は、エレベータに監視カメラを設置し、監視映像を記録し、監視記録映像の属性としてエレベータの状態を記録するエレベータ状態記録手段を設け、さらに、容易に見たい場面を見つけられるように、記録した監視映像を再生する際に、日時のみならずエレベータの運転状態で検索する検索手段を設ける。また、監視映像を見ながら、エレベータの運行階やドアの状況、運行状況を把握することができるように、再生画像上にエレベータの運転状態を重ねて表示する表示手段を設ける（例えば、特許文献１参照）。
【先行技術文献】
【特許文献】
【０００３】
【特許文献１】特開２０００−３５１５４６号公報
【発明の概要】
【発明が解決しようとする課題】
【０００４】
しかし、エレベータに設置されたレコーダの録画映像を見ながら、必要な箇所を見付ける場合に、戸開閉やカゴ内の人数、乗り降り以外の場面においては、どの映像も似たような状態を示しており、目的の映像の箇所を見付けることが難しいという問題がある。
【０００５】
この発明の目的は、前記のような課題を解決するためになされたものであり、似たような映像から必要な箇所を容易に見付け出すことができるエレベータ録画映像表示装置を提供することである。
【課題を解決するための手段】
【０００６】
この発明に係るエレベータ録画映像表示装置は、エレベータの乗りカゴ内の監視領域を撮影して得られる映像データを蓄積し且つ必要な部分の映像を表示するエレベータ録画映像表示装置において、上記映像データに時刻情報を付加して蓄積する映像蓄積手段と、上記乗りカゴの運行データおよび状況データに時刻情報を付加して蓄積するデータ蓄積手段と、を有する映像データ記録装置と、上記映像データ記録装置から受け取るとともに上記時刻情報が付加された映像データを記憶する映像記憶部と、上記映像データ記録装置から受け取るとともに上記時刻情報が付加された運行データおよび状況データを記憶するデータ記憶部と、上記映像記憶部に記憶されている映像データと上記データ記憶部に記憶されている上記運行データおよび上記状況データを同期して読み出すデータ同期読み出し部と、上記映像データを表示する映像表示部と、上記映像データの表示に同期して上記運行データおよび上記状況データを音声でアナウンスするデータ音声読み上げ部と、を有するカゴ内映像表示装置と、を備える。
【発明の効果】
【０００７】
この発明に係るエレベータ録画映像表示装置の効果は、映像の再生に同期して運行データまたは状況データが音声によりアナウンスされ、映像に表示されている運行データまたは状況データと合わせて映像を確認できるので、似たような映像から必要とする箇所を容易に見付け出すことができる。
【図面の簡単な説明】
【０００８】
【図１】この発明に係るエレベータ録画映像表示装置の構成を示すブロック図である。
【図２】モニタに表示された運行データおよび映像データの画像である。
【図３】画像に同期してスピーカからアナウンスされる音声の内容である。
【発明を実施するための形態】
【０００９】
図１は、この発明に係るエレベータ録画映像表示装置の構成を示すブロック図である。図２は、モニタに表示された運行データおよび映像データの画像である。図３は、画像に同期してスピーカからアナウンスされる音声の内容である。
この発明の実施の形態に係るエレベータ録画映像表示装置１は、図１に示すように、映像データ記録装置２およびカゴ内映像表示装置３を備える。
映像データ記録装置２は、カメラ５から映像信号を取り込んでデジタルの映像データに変換する映像信号Ａ／Ｄ回路１１、デジタルの映像データを例えばＪＰＥＧ２０００という方式で圧縮する映像データ圧縮回路１２、圧縮した映像データをフレーム毎に所定の期間記録する大容量のＦＩＦＯ半導体メモリからなるリングメモリ記録回路１３、時刻を発生する時刻発生回路１４、および、リングメモリ記録回路１３から出力される例えば３００フレーム分の映像データと時刻発生回路１４から発生される時刻を書庫化して蓄積される映像蓄積手段１５、カゴ制御装置１０から得られる乗りカゴ４の運行データおよび状況データに時刻情報を付加して蓄積するデータ蓄積手段１７、映像蓄積手段１５およびデータ蓄積手段１７に蓄積された映像データ、運行データおよび状況データをカゴ内映像表示装置３からの要求に従って送出する情報送出部１８を有する。
【００１０】
カゴ内映像表示装置３は、映像データ記録装置２に映像データ、運行データおよび状況データの送出を要求して受信するデータ受信部２１、受信した映像データを記憶する映像記憶部２２、受信した運行データおよび状況データを記憶するデータ記憶部２３、映像データに運行データおよび状況データを同期して読み出すデータ同期読み出し部２４、同期して読み出した映像データ、運行データおよび状況データをモニタ６に表示する映像表示部２５、映像表示部２５に表示されている映像に同期した運行データおよび状況データをスピーカ７から読み上げる音声読み上げ部２６を有する。
【００１１】
また、カゴ内映像表示装置３は、キーボード８、マウス９などのマンマシンインターフェースを操作して表示したい時間帯などを入力する表示条件入力手段２７を有する。
【００１２】
乗りカゴ４の運行データは、各階床での停止、ＵＰ運転、ＤＯＷＮ運転、走行速度、各階床での扉開、各階床での扉閉、各階床での乗場呼び、および、各階床でのカゴ呼びで表すことができる。
乗りカゴ４の状況データは、図示しない緊急呼び出し釦の押下、図示しない安全センサの作動、暴れている人または倒れている人などの不審者の存在で表すことができる。
【００１３】
映像蓄積手段１５には、所定の時間に亘るフレーム分の映像データの先に時刻がメタデータとして付加されて蓄積されている。
データ蓄積手段１７には、乗りカゴ４の運行データおよび状況データに時刻が付加されて蓄積されている。例えば、２００９年１月１日の午後０時０分０秒に１０Ｆで乗場呼び、午後０時０分１０秒に１０Ｆで停止、午後０時０分１１秒に１０Ｆの扉開、午後０時０分１５秒に１０Ｆの扉閉、午後０時０分１６秒にＤＯＷＮ運転開始、速度１０５ｍ／ｍｉｎで１Ｆに走行、午後０時０分２６秒に１Ｆで停止、午後０時０分２７秒に１Ｆの扉開、午後０時０分３１秒に１Ｆの扉閉というように蓄積される。
【００１４】
音声読み上げ部２６は、運行データおよび状況データを音声でアナウンスする。例えば、走行中の運行データは、「○階を通過中です。分速Ａメートルの一定で走行中です。」とアナウンスする。各階床での扉開では、「○○階の扉が開きます。」とアナウンスする。暴れている人を検知したときでは、「暴れている人がいます。」、倒れている人を検知したときでは、「倒れている人がいます。」とそれぞれアナウンスする。ドアセンサが作動したときでは、「ドアに挟まれています。」とアナウンスする。
【００１５】
また、音声読み上げ部２６は、運行データおよび状況データの予め定めた重要度に従って音量を変化する。例えば、乗りカゴ４内に暴れている人や倒れている人がいることを重要度大、扉が開閉することを重要度中、上昇、下降、停止などを重要度小と予め定めておき、重要度大、中、小の内容をアナウンスするときは、それぞれ音量を大、中、小でアナウンスする。なお、重要度大、中、小の内容をアナウンスするときに、男声と女声と変えても良い。
【００１６】
次に、この発明に係るエレベータ録画映像表示装置１の動作について説明する。
キーボード８およびマウス９を用いて表示しようとする時刻を入力する。例えば、２００９年１月１日の午後０時０分０秒から午後０時１０分０秒までの映像を確認しようとする場合、モニタ６に表示されているメニュー画面を用いて時刻を入力する。
すると、データ受信部２１は、映像データ記録装置２に対して指定した時刻の映像データ、運行データおよび状況データを送出するように要求する。
そこで、情報送出部１８は、指定された時刻の映像データ、運行データおよび状況データを映像蓄積手段１５およびデータ蓄積手段１７から読み出し、カゴ内映像表示装置３に送出する。
【００１７】
データ受信部２１は、映像データ記録装置２から受信した指定された時刻の映像データを映像記憶部２２に、指定された運行データおよび状況データをデータ記憶部２３に記憶する。
データ同期読み出し部２４は、映像記憶部２２から映像データを読み出すとともに映像データに付加されている時刻と同じ時刻が付加された運行データおよび状況データを同期して読み出して映像表示部２５と音声読み上げ部２６に送る。
映像表示部２５は、送られてきた映像データ、運行データおよび状況データをモニタ６に表示する。例えば、午後０時０分１８秒に６階を通過中で速度が１０５ｍ／ｍｉｎの場合、図２に示すように、乗りカゴ４内の映像と合わせて画面内に運行状況を表示する。
【００１８】
音声読み上げ部２６は、モニタ６に表示されている映像に同期して運行データおよび状況データをスピーカ７から音声としてアナウンスする。例えば、午後０時０分１８秒に６階を通過中で速度が１０５ｍ／ｍｉｎの場合、図３に示すように、「６階通過中です。分速１０５ｍの一定で走行しています。」とアナウンスする。
【００１９】
この発明に係るエレベータ録画映像表示装置１では、映像の再生に同期して運行データまたは状況データが音声によりアナウンスされ、映像に表示されている運行データまたは状況データと合わせて映像を確認できるので、似たような映像から必要とする箇所を容易に見付け出すことができる。
【符号の説明】
【００２０】
１  エレベータ録画映像表示装置、２  映像データ記録装置、３  カゴ内映像表示装置、４  乗りカゴ、５  カメラ、６  モニタ、７  スピーカ、８  キーボード、９  マウス、１０  カゴ制御装置、１１  映像信号Ａ／Ｄ回路、１２  映像データ圧縮回路、１３  リングメモリ記録回路、１４  時刻発生回路、１５  映像蓄積手段、１７  データ蓄積手段、１８  情報送出部、２１  データ受信部、２２  映像記憶部、２３  データ記憶部、２４  データ同期読み出し部、２５  映像表示部、２６  音声読み上げ部、２７  表示条件入力手段。
【図１】
2011006206.tif 000003
【図２】
2011006206.tif 000004
【図３】
2011006206.tif 000005